(57)【要約】【課題】入退場管理システムにおいて、適切なタイミングでモードを切り替えることで、タグが通信に必要とされる場面においてはタグの応答性を確保しつつ、低消費電力化をも実現する。【解決手段】ユーザーＡにより携行されるタグ３０が起動信号エリア７１に進入して、起動信号を受信すると、タグ３０は、スリープモードから待機モードへと切り替える。その後、タグ３０は、質問信号エリア６４において質問信号を受信した後に、起動信号エリア７２内にて起動信号を受信すると、待機モードからスリープモードへと切り替える。【選択図】図２
2010128547.tif 000002
【特許請求の範囲】
【請求項１】
応答器の識別情報を問い合わせる質問信号を送信する質問器と、質問信号を受信すると自器の識別情報を含む応答信号を送信する応答器と、前記質問信号とは異なる所定信号を送信する送信器と、質問器が応答器から受信した識別情報に基づいて、ゲートの通行を止めるか止めないかを物理的に制御するゲートコントローラとを備える入退場管理システムであって、
質問器は、
ゲート近傍の第１エリア内で受信可能なように質問信号を送信する送信手段を有し、
送信器は、
第１エリアと比べてゲートより遠い領域を含む第２エリア内で受信可能なように前記所定信号を送信する送信手段を有し、
応答器は、
前記質問信号、前記所定信号、の順で信号を受信すると、質問信号を受信すると応答信号を送信する第１モードから、質問信号を受信しても応答信号を送信しない第２モードへと切り替えるモード切り替え手段を備える
ことを特徴とする入退場管理システム。
【請求項２】
前記所定信号は、前記第２モードから第１モードへと切り替える旨を示す信号であって、
前記応答器の前記モード切り替え手段は、第２モードである場合において、前記所定信号を受信すると前記第２モードから第１モードへと切り替える
ことを特徴とする請求項１に記載の入退場管理システム。
【請求項３】
前記所定信号、前記質問信号、の順で信号を受信すると、前記応答器の前記モード切り替え手段は、前記第２モードから第１モードへと切り替える
ことを特徴とする請求項１に記載の入退場管理システム。
【請求項４】
応答器の識別情報を問い合わせる質問信号を送信する質問器と、質問信号を受信すると自器の識別情報を含む応答信号を送信する応答器と、前記質問信号とは異なる所定信号を送信する送信器と、質問器が応答器から受信した識別情報に基づいて、ゲートの通行を止めるか止めないかを物理的に制御するゲートコントローラとを備える入退場管理システムであって、
質問器は、
ゲート近傍の第１エリア内で受信可能なように質問信号を送信する第１送信手段と、
第１エリアを含み第１エリアより広範囲な第２エリア内で受信可能なように前記所定信号を送信する第２送信手段と、
前記第１送信手段による送信と、前記第２送信手段による送信とを交互に切り替える送信制御手段とを有し、
応答器は、
前記質問信号、前記所定信号、の順で信号を受信すると、応答信号を送信する第１モードから、応答信号を送信しない第２モードへと切り替えるモード切り替え手段を備える
ことを特徴とする入退場管理システム。
【請求項５】
応答器の識別情報を問い合わせる質問信号を送信する質問器と、質問信号を受信すると自器の識別情報を含む応答信号を送信する応答器と、前記質問信号とは異なる所定信号を送信する送信器と、質問器が応答器から受信した識別情報に基づいて、ゲートの通行を止めるか止めないかを物理的に制御するゲートコントローラとを備える入退場管理システムにおける応答器であって、
前記質問信号および前記所定信号を受信する受信手段と、
前記質問信号、前記所定信号、の順で信号を受信すると、応答信号を送信する第１モードから、応答信号を送信しない第２モードへと切り替えるモード切り替え手段とを備える
ことを特徴とする応答器。
【発明の詳細な説明】
【技術分野】
【０００１】
本発明は、区域へのユーザーの通行を管理する入退場管理システムに関する。
【背景技術】
【０００２】
入退場管理システムにおいては、ユーザーが携行するタグ（応答器）とゲート付近に設置されたタグリーダー（質問器）とを含んで構成される。タグリーダーは、かざされたタグに対して識別情報を問い合わせる質問信号を送信し、質問信号に対する応答信号に含まれる識別情報を受信し（以下、この識別情報の送信・受信をまとめて「識別情報の読み取り」ということがある。）、この識別情報に基づいて、電気錠の解錠／施錠やバーの上げ下げなどのゲートの通行を物理的に制限（制御）するというものである。
【０００３】
このようなかざす方式（非接触方式）では、ユーザーが荷物を持つなどして両手がふさがっている場合には不便さが残る。このため、携帯端末や基地局を利用して携帯端末の識別情報を無線で読み取ることにより、ユーザーの操作性を向上しようとする技術が知られている（例えば、特許文献１参照）。
このような無線通信を行うタグは、低消費電力化が要求される。
【０００４】
これに関して、特許文献２では、１回目の電波受信により省電力なモードから通信可能なモードへと状態を変更し、２回目の電波受信により通信処理を行うタグが開示されている。また、上記特許文献２では、通信処理が完了すると、変更前の省電力なモードへと戻すことが記載されている。
【特許文献１】特開2007-023619号公報
【特許文献２】特開2003-115033号公報
【発明の開示】
【発明が解決しようとする課題】
【０００５】
ところで、入退場管理システムにおいては、管理する区域内に複数のタグリーダーが存在する場合など、区域内を移動するタグが、複数回識別情報を読み取られることがある。
このため、読み取りが１回終了したというだけで省電力なモードへと戻してしまうと、２回目の読み取りの際には、省電力なモードから通信可能なモードへと再度変更する必要がある。このモード変更には時間を要するので（タグの仕様にもよるが、例えば0.5秒〜1秒程度要する。）、読み取り時間の増加を招くことが考えられる。読み取った識別情報を扉の解錠制御に利用する場合であれば、読み取り時間が増加すると、認証に時間を要し、ひいては扉の前でユーザーを待たせてしまうことも考えられる。
【０００６】
本発明は、このような問題に鑑みてなされたものであって、無線によりタグから識別情報を読み取ることにより、ゲートの通行可否の制御を行う入退場管理システムであって、より適切なタイミングでモードを切り替えることで、タグが通信に必要とされる場面においてはタグの応答性を確保しつつ、低消費電力化をも実現する入退場管理システムを提供する。
【課題を解決するための手段】
【０００７】
本発明に係る入退場管理システムは、応答器の識別情報を問い合わせる質問信号を送信する質問器と、質問信号を受信すると自器の識別情報を含む応答信号を送信する応答器と、前記質問信号とは異なる所定信号を送信する送信器と、質問器が応答器から受信した識別情報に基づいて、ゲートの通行を止めるか止めないかを物理的に制御するゲートコントローラとを備える入退場管理システムであって、質問器は、ゲート近傍の第１エリア内で受信可能なように質問信号を送信する送信手段を有し、送信器は、第１エリアと比べてゲートより遠い領域を含む第２エリア内で受信可能なように前記所定信号を送信する送信手段を有し、応答器は、前記質問信号、前記所定信号、の順で信号を受信すると、質問信号を受信すると応答信号を送信する第１モードから、質問信号を受信しても応答信号を送信しない第２モードへと切り替えるモード切り替え手段を備えることを特徴とする。
【発明の効果】
【０００８】
本発明に係る入退場管理システムの構成によれば、質問信号、所定信号、の順で信号を受信すると、応答信号を送信する第１モードから、応答信号を送信しない第２モードへと切り替えるので、例えば第１エリアおよび第２エリアの範囲設定を調整することにより、柔軟なタイミングで上記モード切り替えを行うことができ、応答器が通信に必要とされる領域においては第１モードとして応答器の応答性を確保しつつ、応答器が通信に必要とされない領域においては第２モードとして低消費電力化できる。
【０００９】
上記通信に必要とされる領域としては、例えば、通行に認証を要する複数のゲート各々の通行のため、各所で質問信号を受けて応答信号を送信するといったシステムにおいて、そのゲート群が存在する領域が挙げられる。
また、前記所定信号は、前記第２モードから第１モードへと切り替える旨を示す信号であって、前記応答器の前記モード切り替え手段は、第２モードである場合において、前記所定信号を受信すると前記第２モードから第１モードへと切り替えるとしても構わない。
【００１０】
この構成によれば、所定信号を第２モードから第１モードへの切り替えのための信号として利用するため、第２エリア内に進入した応答器を第１モードへと切り替えることができる。その後、この応答器が第１エリア内に進入した際には、既に第１モードであるため質問信号に対する応答性を確保できる。
また、前記所定信号、前記質問信号、の順で信号を受信すると、前記応答器の前記モード切り替え手段は、前記第２モードから第１モードへと切り替えるとしても構わない。
【００１１】
この構成によれば、第１エリア→第２エリアの順で進行する応答器を、第２エリア内で第１モードへと切り替えることができ、第１エリア内で第１モードへと切り替える場合と比べて第１モードへの切り替え時点を遅らせることができ、低消費電力化に寄与する。
また、応答器の識別情報を問い合わせる質問信号を送信する質問器と、質問信号を受信すると自器の識別情報を含む応答信号を送信する応答器と、前記質問信号とは異なる所定信号を送信する送信器と、質問器が応答器から受信した識別情報に基づいて、ゲートの通行を止めるか止めないかを物理的に制御するゲートコントローラとを備える入退場管理システムであって、質問器は、ゲート近傍の第１エリア内で受信可能なように質問信号を送信する第１送信手段と、第１エリアを含み第１エリアより広範囲な第２エリア内で受信可能なように前記所定信号を送信する第２送信手段と、前記第１送信手段による送信と、前記第２送信手段による送信とを交互に切り替える送信制御手段とを有し、応答器は、前記質問信号、前記所定信号、の順で信号を受信すると、応答信号を送信する第１モードから、応答信号を送信しない第２モードへと切り替えるモード切り替え手段を備えるとしても構わない。
【００１２】
また、応答器の識別情報を問い合わせる質問信号を送信する質問器と、質問信号を受信すると自器の識別情報を含む応答信号を送信する応答器と、前記質問信号とは異なる所定信号を送信する送信器と、質問器が応答器から受信した識別情報に基づいて、ゲートの通行を止めるか止めないかを物理的に制御するゲートコントローラとを備える入退場管理システムにおける応答器であって、前記質問信号および前記所定信号を受信する受信手段と、前記質問信号、前記所定信号、の順で信号を受信すると、応答信号を送信する第１モードから、応答信号を送信しない第２モードへと切り替えるモード切り替え手段とを備えるとしても構わない。
【００１３】
この構成によれば、質問信号、所定信号、の順で信号を受信すると、応答信号を送信する第１モードから、応答信号を送信しない第２モードへと切り替えるので、例えば第１エリアおよび第２エリアの設定を調整することにより、柔軟なタイミングで上記モード切り替えを行うことができ、応答器が通信に必要とされる領域においては第１モードとして応答器の応答性を確保しつつ、応答器が通信に必要とされない領域においては第２モードとして低消費電力化できる。
【発明を実施するための最良の形態】
【００１４】
（実施の形態１）
以下、本実施の形態について、施設の管理区域において、応答器を携行するユーザーの通行を認証する入退場管理システムを例に挙げて説明する。
＜構成＞
図１は、入退場管理システム１のシステム構成を示す図である。
【００１５】
入退場管理システム１は、ゲートコントローラ２、ＰＣ（Personal Computer）４、扉（ゲート扉）６、タグリーダー１０、タグ３０を備えており、ゲートコントローラ２、ＰＣ４、扉６、およびタグリーダー１０の間はそれぞれケーブルを介して接続されている。
入退場管理システムの概要としては次の通りである。
扉６付近に設置されたタグリーダー１０は、ユーザーが携行するタグ３０に対してＩＤ（識別情報）を問い合わせる質問信号を送信し、タグ３０はその応答として自己のＩＤを含む応答信号を返す。タグリーダー１０は、応答信号に含まれるＩＤをゲートコントローラ２に転送し、ゲートコントローラ２は転送されたＩＤをゲート通行を許可するＩＤのリストと照らし合わせて、一致すれば（認証成功）、扉６の電気錠を一定時間解錠してユーザーの通行を可能にする。渡されたＩＤが上記ＩＤのリストに無ければ（認証失敗）、タグリーダー１０のブザー１８を鳴らしてその旨を回答する。
【００１６】
タグリーダー１０は、制御部１２、表示部１４、操作部１６、ブザー１８、ＬＦ（Low Frequency）送信部２０ａ，２０ｂ、ＲＦ（Radio Frequency）受信部２２、送信切り替え部２４、エリア設定受付部２６を備えている。
制御部１２は、制御プログラムを実行するＣＰＵ、制御プログラムを格納するＲＯＭを含んで構成される。
【００１７】
表示部１４は、例えばＬＥＤランプやディスプレイに各種の表示出力を行う。操作部１６は押しボタンなどの入力インターフェイスから入力を受け付ける。
ＬＦ送信部２０ａ，２０ｂは、コイル型のＬＦアンテナ２１ａ，２１ｂを用いてＬＦ帯（例えば、134kHz）にてそれぞれ質問信号，起動信号を数百ｍｓごとの周期で繰り返し送信する。
【００１８】
ＬＦ送信部２０ａは、扉６の出入り口近傍の領域に向けて質問信号を送信する。
ＬＦ送信部２０ｂのＬＦアンテナ２１ｂは、図示しないアンテナケーブルによりタグリーダー１０から離れた位置にまで延長されており、ＬＦ送信部２０ｂは、扉６の入り口の進行経路上手前の領域に向けて起動信号を送信する。
ここで質問信号は、所定のバイト数のデータ長を持つ信号でありタグ３０の識別情報を問い合わせる。送信に要する時間は例えば数十ms程度である。起動信号は、タグ３０の起動指示を含む信号である。
【００１９】
タグ３０は、制御部３２、表示部３４、操作部３６、モード切り替え部３８、ＬＦ受信部４０、ＲＦ送信部４２、電池部４４を備えている。
制御部３２は、制御プログラムを実行するＣＰＵ、制御プログラムを格納するＲＯＭを含んで構成される。
表示部３４は、例えばＬＥＤランプやディスプレイに各種の表示出力を行う。操作部３６は押しボタンなどの入力インターフェイスから入力を受け付ける。
【００２０】
ＬＦ受信部４０は、コイル型のＬＦアンテナ４１を用いてＬＦ帯にて質問信号や起動信号を受信する。
ＲＦ送信部４２は、自己のＩＤを含む応答信号をＲＦアンテナ４３を介してＲＦ帯（例えば、ＵＨＦ帯の420MHz）にて送信する。
モード切り替え部３８は、(Ａ)内蔵クロックを停止させた低消費電力なモードであって、質問信号に対して応答信号を送信しないスリープモード、(Ｂ)内蔵クロックが動作し、質問信号を待機する待機モード、この２つのモードを切り替える。
【００２１】
このモード切り替え部３８は、スリープモード時にＬＦ受信部４０が起動信号を受信すると、スリープモードから待機モードに切り替える。また、後述のように、ＬＦ受信部４０が質問信号、起動信号の順番で信号を受信すると、待機モードからスリープモードへと切り替える。
なお、待機モード時に受信した質問信号に応じて応答信号を送信するモードを特に「動作モード」という。
【００２２】
電池部４４は、例えばコイン形リチウム電池から構成されており、各部に信号送受のための電力を供給する。
＜動作＞
続いて、入退場管理システムの具体的な動作について説明する前に、システムの運用形態を説明する。
【００２３】
図２は、入退場管理システム１の運用形態を説明する模式図である。なお、図２の下部にはそれぞれ対応するエリア６１，６４，７１，７２内に存在するタグ３０のモードを示している。
区域５０は、入退場管理システム１の管理対象となる領域である。区域５０では、区域５０の出入り口（図２：エリア６１，６４）における入退場の制御や、区域５０内におけるエリア６２，６３のタグの通行を記録を行う。
【００２４】
区域５０内の中央あたりには、２台の図示しないタグリーダー１０が設置されており、２台のタグリーダー１０により、それぞれ質問信号エリア６２，６３内で受信可能なように質問信号が送信されている。この質問信号エリア６２，６３は、エリア内に進入するタグから応答信号を受信し、応答信号に含まれるＩＤをゲートコントローラ２へと転送する。ゲートコントローラ２は転送されたＩＤに基づいて当該ＩＤがエリア６２，６３を通行した旨（存在した旨でもよい。）記録する。
【００２５】
区域５０の出入り口の扉付近には、２台の図示しないタグリーダー１０が設置されている。１台のタグリーダー１０は、質問信号エリア６１内で受信可能なように質問信号を送信し、起動信号エリア７１内で受信可能なように起動信号を送信する。もう１台のタグリーダー１０は、質問信号エリア６４内で受信可能なように質問信号を送信し、起動信号エリア７２内で受信可能なように起動信号を送信する。
【００２６】
起動信号エリア７１，７２は、区域５０へ出入りするタグ３０を携行するユーザーが必ず通るエリアに設定されている。その大きさは例えば半径５ｍ〜１０ｍ程度である。これに対して、質問信号エリア６１，６４の大きさは例えば半径１〜２ｍ程度であり、それぞれ担当する扉６の周囲を囲むように設定されている。
そして、起動信号エリア７１，７２は対応する質問信号エリア６１，６４に対して、区域５０出入り口の扉６に向かう経路上手前である。すなわち、起動信号エリア７１，７２は、タグ３０が質問信号エリア６１，６４において応答信号を送信できるように、必ず質問信号エリア６１，６４に進入するより前に、タグ３０が起動信号を受信できるようなエリアに設定されている。なお、起動信号エリア７１，７２は、扉６の近傍の質問信号エリア６１，６４に対して、ゲートより遠い領域にあるとも言いうる。
【００２７】
タグリーダー１０は、質問信号エリア６１，６４に進入したタグから応答信号を受信し、応答信号に含まれるＩＤをゲートコントローラ２へと転送する。ゲートコントローラ２は、転送されたＩＤに基づいて質問信号エリア６１，６４内の扉６における電子錠の解錠を指示する。
図３は、ゲートコントローラ２，タグリーダー１０，タグ３０の処理内容を示すシーケンス図である。
【００２８】
以下の動作例では、図２に示すように、タグ３０を携行するユーザーＡが、エリア７１→エリア６１→エリア６２の順で移動して、朝に区域５０内に入る。そして、ユーザＡは、エリア６２内かエリア６３内のいずれかにおいて所定の作業を日中は行う。その後、ユーザＡは、夕方に、エリア６３→エリア６４→エリア７２の順に移動して区域５０外に出るものとする。
【００２９】
まず、起動信号エリア７１内に、タグ３０を携行するユーザーＡが進入すると、タグ３０のＬＦ受信部４０は、タグリーダーのＬＦ送信部２０ｂから送信された起動信号を受信する（Ｓ１１，Ｓ１２）。起動信号を受信すると、モード切り替え部３８は、スリープモードから待機モードへと切り替えて、質問信号の受信に備える（Ｓ１３）。
続いて、質問信号エリア６１内に、タグ３０を携行するユーザーＡが進入すると、タグ３０のＬＦ受信部４０は、タグリーダーのＬＦ送信部２０ａから送信された質問信号を受信する（Ｓ１４，Ｓ１５）。質問信号を受信すると、ＲＦ送信部４２は、自器のＩＤを含む応答信号を送信する（Ｓ１６）。
【００３０】
タグリーダー１０の制御部１２は、ＲＦ受信部２２が受信した応答信号に含まれるＩＤをゲートコントローラ５０へと転送する（Ｓ１７）。
ゲートコントローラ５０においては、転送されてきたＩＤを認証する（Ｓ１８）。具体的には、質問信号エリア６１のゲートへ通行権限有りかどうかをＩＤリスト（ＩＤごとにゲートの通行権限があるかどうかが記録されたリストである。）に照らして判定する。権限有りと判定すると、扉６に解錠指示を送る。
【００３１】
その後、質問信号エリア６２，６３，６４内に、タグ３０を携行するユーザーＡが進入した場合にも、同様にステップＳ１４〜Ｓ１９を繰り返す。なお、区域５０内部の質問信号エリア６２，６３の場合においては、ステップＳ１８では権限有りかどうか判定せずに通行記録を行う。
続いて、起動信号エリア７２内に、タグ３０を携行するユーザーＡが進入すると、タグ３０のＬＦ受信部４０は、タグリーダーのＬＦ送信部２０ｂから送信された起動信号を受信する（Ｓ１９，Ｓ２０）。
【００３２】
この起動信号を受信する前は、質問信号エリア６４内において、質問信号を受信したため（Ｓ１４）、質問信号→起動信号の順番で受信したこととなる。この順番で信号を受信すると、モード切り替え部３８は、待機モードからスリープモードへと切り替えて、タグ３０を省電力化する。
以上、説明したように、本実施の形態によれば、タグ３０と通信を行う必要性のある区域５０内においてはタグ３０を待機モードとすることで、質問信号に対して迅速に応答することができる。しかも区域５０外から出るときには、待機モードからスリープモードへと切り替えるため、省電力化も実現できる。
（実施の形態２）
実施の形態１では、質問信号エリアと起動信号エリアとが重ならない例を説明したが、実施の形態２では、両エリアが重なっている点が異なる。
【００３３】
図４（ａ）は、実施の形態２に係るタグリーダー１１の機能ブロック図である。
タグリーダー１１は、基本的には図１で説明したタグリーダー１０と同様であるため、同様な機能ブロックには同じ符号を付して説明を省略する。
タグリーダー１１は、ＬＦ送信部２５を備えている。送信制御部２４の制御内容に従い質問信号か起動信号のいずれかを送信する。
【００３４】
起動信号の送信電力は質問信号の送信電力より大きい値に設定される。起動信号エリアの大きさは、例えば５〜１０ｍ程度、質問信号エリアの大きさは例えば１〜２ｍ程度である。
送信制御部２４は、ＬＦ送信部２５を制御し、質問信号の送信と起動信号の送信とを、例えば数百ｍｓおきに交互に切り替える。これにより、図４（ｂ）に示すように、ＬＦ送信部２５は質問信号と起動信号とを交互に切り替えて送信することとなる。
【００３５】
図５は、実施の形態２に係る入退場管理システム１の運用形態を説明する模式図である。なお、図５上部の「第２モード」は質問信号に返信しないモードであるスリープモードを示し、「第１モード」は質問信号に返信するモードである待機モード・動作モードを示す。実際には区域５１の内側と外側とで、第１のモードと第２のモードとが厳格に対応して切り替わってるわけではないのであるが（区域５１の出入り口の外側部分、すなわちエリア９１のおよそ左半分およびエリア９２の右半分も第１モードである。）、図では簡単に描いている。
【００３６】
区域５１内部には、質問信号エリア６２，６３が設定されている。このエリア６２，６３は図２を用いて説明したものと同じであるため説明を省略する。
区域５１の出入り口の扉付近には、２台の図示しないタグリーダー１０が設置されている。１台のタグリーダー１０は、質問信号エリア８１内で受信可能なように質問信号を送信し、起動信号エリア９１内で受信可能なように起動信号を送信する。もう１台のタグリーダー１０も、質問信号エリア８４に向けて質問信号、起動信号エリア９２に向けて起動信号を送信する。
【００３７】
起動信号エリア９１，９２は、質問信号エリア８１，８４より一回り大きいため、質問信号エリア８１，８４内に進入しようとするユーザーが携行するタグ３０は、必ず起動信号エリア９１，９２内において前もって起動信号を受信することとなる。
図６は、実施の形態２に係るタグ３０のモード切り替えに関する処理内容を示すフローチャートである。
【００３８】
図６に示すように、タグ３０のモード切り替え部３８は、起動信号を受信すると（Ｓ３２：Ｙｅｓ）、スリープモードから待機モードへとモードを切り替える（Ｓ３１，Ｓ３３）。
待機モードへと切り替えた後は、質問信号→起動信号の順で受信し（Ｓ３４：Ｙｅｓ）、その後、質問信号を受信しないまま所定時間経過すれば（Ｓ３５：Ｙｅｓ）、待機モードからスリープモードへと切り替える（Ｓ３６）。この所定時間は、例えば、区域５１内に存在するタグ３０が１５分おきに質問信号を受信する環境にあれば、１５分より長い３０分と設定する。３０分の間、質問信号を受信しなければ、タグ３０は通信を行う必要性のある区域５１内には存在しない（区域５１外に存在する。）と見なして、スリープモードへと切り替えることとなる。
【００３９】
図５を参照して、タグ３０を携行するユーザーＢが、エリア９１→エリア８１→エリア９１の順に進行する場合を考えると、タグ３０はエリア９１内において起動信号を受信してスリープモードから待機モードへと切り替える（図５：矢印９８参照）。そして、エリア８１においては質問信号に応答する動作モードとなる。続いて、エリア９１内に進入すると、質問信号→起動信号の順で受信したこととなるが、その後、所定時間（例えば３０分とする。）が経過する前に、区域５１内の質問信号エリア６２，６３へユーザーＢが移動して質問信号を受信すれば、待機モードが維持されることになる。
【００４０】
次に、ユーザーＢが、エリア９２→エリア８４→エリア９２の順に進行する場合（図５：矢印９９参照）を考えると、待機モードにあるタグ３０は、エリア８４内においては質問信号に応答する動作モードとなる。続いて、エリア８４からエリア９１へと進入すると、質問信号→起動信号の順で受信したこととなり、区域外には質問信号エリアが存在しないので、そのまま所定時間が経過すると、待機モードからスリープモードへと切り替えられることとなる。
【００４１】
以上説明したように、本実施の形態によれば、タグ３０と通信を行う必要性のある区域内においてはタグ３０を待機モードとすることで、質問信号へと迅速に応答することができる。しかも区域外から出るときには、所定時間経過後に、待機モードからスリープモードへと切り替えるため、省電力化も実現できる。
また、起動信号エリア９１，９２はそれぞれ質問信号エリア８１，８４を含む関係にあるため、質問信号エリア８１，８４に進入しようとするユーザーのタグに対して、確実に、質問信号を受信させるよりにも先行して起動信号を受信させて、後続する質問信号に対応できる待機モードに移行させておくことができる。
【００４２】
＜補足＞
以上、本発明の実施の形態について説明したが、本発明は上記の内容に限定されず、本発明の目的とそれに関連又は付随する目的を達成するための各種形態においても実施可能であり、例えば、以下であっても構わない。
（１）実施の形態１，２では、モード切り替え部３８は、起動信号を受信すると、スリープモードから待機モードへと切り替えるとして説明したが、起動信号を受信したときには、モードを切り替えをせずに、起動信号→質問信号の順で受信したことを条件に切り替えるとしても構わない。こうすることで、待機モードへの切り替えが遅れるのでより省電力化できる。
（２）実施の形態１では、区域５０内における質問信号エリア６２，６３を、タグの通行記録のために利用するとして説明したが、出入り口の質問信号エリア６１，６４と同様に、エリア６２，６３を、エリア６２，６３内の扉の通行制御のために利用するとしても構わない。
【００４３】
また、通行制御の手段は、扉６の電気錠６ａの施錠／解錠に限らず、例えば、扉６に代えて、通行を阻むバー付きゲートを用い、バーの上げ下げによりユーザーの通行を制御するようにしても構わない。
（３）実施の形態１，２では、タグリーダー１０，１１が起動信号を送信するとして説明したが、タグリーダーには質問信号だけを送信させ、起動信号はタグリーダーとは別の各種送信器を用いて送信するようにしても構わない。
【図面の簡単な説明】
【００４４】
【図１】入退場管理システム１のシステム構成を示す図
【図２】入退場管理システム１の運用形態を説明する模式図
【図３】ゲートコントローラ２，タグリーダー１０，タグ３０の処理内容を示すシーケンス図
【図４】（ａ）実施の形態２に係るタグリーダー１１の機能ブロック図（ｂ）ＬＦ送信部２５が送信する信号を示す図
【図５】実施の形態２に係る入退場管理システム１の運用形態を説明する模式図
【図６】実施の形態２に係るタグ３０のモード切り替えに関する処理内容を示すフローチャート
【符号の説明】
【００４５】
１  入退場管理システム
２  ゲートコントローラ
６  扉
６ａ  電気錠
１０  タグリーダー（質問器）
２０ａ，２０ｂ  ＬＦ送信部
２２  ＲＦ受信部
３０  タグ（応答器）
３８  モード切り替え部
４２  ＲＦ送信部
６１〜６４，８１，８２  質問信号エリア（第１エリア）
７１，７２，９１，９２  起動信号エリア（第２エリア）
【図１】
2010128547.tif 000003
【図２】
2010128547.tif 000004
【図３】
2010128547.tif 000005
【図４】
2010128547.tif 000006
【図５】
2010128547.tif 000007
【図６】
2010128547.tif 000008